(57)【特許請求の範囲】
【請求項１】
入力ポートモジュールと、第１の出力ポートモジュールと、処理モジュールとを備えることを特徴とする遠隔無線ユニットハブＲＨＵＢであって、
前記入力ポートモジュールは、ベースバンドユニットＢＢＵに有線様態で接続するように、且つ前記ＢＢＵによって送信された第１の通信信号を受信するように構成され、
前記第１の出力ポートモジュールは、別のＲＨＵＢに有線様態で接続するように構成され、且つ
前記処理モジュールは、前記入力ポートモジュールによって受信された前記第１の通信信号に従って、第２の通信信号を、前記第１の出力ポートモジュールを使用することによって前記別のＲＨＵＢに送信するように構成され、
当該ＲＨＵＢは、第２の出力ポートモジュールを更に備え、前記第２の出力ポートモジュールは、遠隔無線ユニットＲＲＵに有線様態で接続するように構成され、
前記第２の出力ポートモジュールは、少なくとも２つの第２の出力ポートを備え、且つ前記第２の出力ポートモジュールは、前記少なくとも２つの第２の出力ポートに接続された伝送リンクを使用することによって前記ＲＲＵに別々に接続するように構成され、
前記処理モジュールは、
前記第１の通信信号が、それぞれが異なるネットワーク標準に対応する少なくとも２つの通信信号を含む場合に、それぞれの通信信号のネットワーク標準を決定するように、
前記それぞれの通信信号の前記ネットワーク標準、及びネットワーク標準と前記少なくとも２つの第２の出力ポートとの間の事前設定された対応関係に従って、前記それぞれの通信信号を別々に出力するためのそれぞれの第２の出力ポートを選択するように、且つ
前記それぞれの通信信号を、前記の選択されたそれぞれの第２の出力ポートを使用することによって前記ＲＲＵに伝送するように構成される、遠隔無線ユニットハブＲＨＵＢ。
【請求項２】
前記第１の通信信号は、前記第１の通信信号の宛先アドレスを示すのに使用される識別情報を備え、且つ
前記処理モジュールは、前記識別情報に従って、前記第１の通信信号の前記宛先アドレスが前記別のＲＨＵＢであるかどうかを決定するように、且つ前記第１の通信信号の前記宛先アドレスが前記別のＲＨＵＢである場合、前記第１の通信信号に従って、前記第２の通信信号を、前記第１の出力ポートモジュールを使用することによって前記別のＲＨＵＢに送信するように構成される、請求項１に記載のＲＨＵＢ。
【請求項３】
前記第１の出力ポートモジュールは、共通公衆無線インタフェースＣＰＲＩリンクを使用することによって前記別のＲＨＵＢに接続するように構成される、請求項１又は２に記載のＲＨＵＢ。
【請求項４】
前記処理モジュールは、
前記入力ポートモジュールによって受信された前記第１の通信信号に従って、第３の通信信号を、前記第２の出力ポートモジュールを使用することによって前記ＲＲＵに送信するように、又は
前記第１の通信信号が、前記第１の通信信号の宛先アドレスを示すのに使用される識別情報を備え、且つ前記第１の通信信号の、前記識別情報によって示される前記宛先アドレスが前記ＲＲＵである場合、前記第１の通信信号に従って、第３の通信信号を、前記第２の出力ポートモジュールを使用することによって前記ＲＲＵに送信するように更に構成される、請求項１に記載のＲＨＵＢ。
【請求項５】
前記処理モジュールは、
１つのネットワーク標準に対して選択された第２の出力ポートの数が２以上である場合、前記の選択された第２の出力ポートに接続された前記伝送リンクの信号搬送能力を決定するように、且つ
前記の選択された第２の出力ポートに接続された前記伝送リンクの前記信号搬送能力に従って、前記１つのネットワーク標準に対応する前記通信信号を、前記の選択された第２の出力ポートに接続された前記伝送リンクにおける各伝送リンクに配信して、前記１つのネットワーク標準に対応する前記通信信号を前記ＲＲＵに伝送するように更に構成される、請求項１に記載のＲＨＵＢ。
【請求項６】
ベースバンドユニットＢＢＵと、第１の遠隔無線ユニットハブＲＨＵＢと、第２のＲＨＵＢと、第１の遠隔無線ユニットＲＲＵとを備えることを特徴とする屋内通信システムであって、
前記第１のＲＨＵＢは、前記ＢＢＵに接続するように、且つ前記ＢＢＵによって送信された第１の通信信号を受信するように構成され、
前記第１のＲＨＵＢは、前記第２のＲＨＵＢに接続するように、且つ前記第１の通信信号に従って第２の通信信号を前記第２のＲＨＵＢに送信するように更に構成され、
前記第２のＲＨＵＢは、前記第１のＲＨＵＢ及び前記第１のＲＲＵを接続するように、且つ前記第１のＲＨＵＢによって送信された前記第２の通信信号を受信するように構成され、且つ
前記第１のＲＨＵＢは、請求項１から５のいずれか一項に記載のＲＨＵＢであり、且つ
前記第２のＲＨＵＢは、
入力ポートモジュールと、出力ポートモジュールと、処理モジュールとを備えるＲＨＵＢであって、
前記入力ポートモジュールは、前記第１のＲＨＵＢに有線様態で接続するように、且つ前記第１のＲＨＵＢによって送信された第１の通信信号を受信するように構成され、
前記出力ポートモジュールは、遠隔無線ユニットＲＲＵに有線様態で接続するように構成され、且つ
前記処理モジュールは、前記入力ポートモジュールによって受信された前記第１の通信信号に従って、第２の通信信号を、前記出力ポートモジュールを使用することによって前記ＲＲＵに送信するように構成される、屋内通信システム。
【請求項７】
当該屋内通信システムは、第２のＲＲＵを更に備え、且つ前記第１のＲＨＵＢは、前記第２のＲＲＵに接続するように更に構成される、請求項６に記載の屋内通信システム。
【請求項８】
当該屋内通信システムは、デジタル変換ユニットＤＣＵと、第３のＲＲＵとを更に備え、
前記第１のＲＨＵＢは、前記ＤＣＵを使用することによって前記ＢＢＵに接続するように、且つ前記ＤＣＵを使用することによって、前記ＢＢＵによって送信された前記第１の通信信号を受信し、前記第１の通信信号はデジタル信号である、ように構成され、
前記第３のＲＲＵは、前記ＤＣＵに有線様態で接続するように構成され、且つ
前記ＤＣＵは、前記第３のＲＲＵ、前記ＢＢＵ、及び前記第１のＲＨＵＢを接続するように、且つ前記第３のＲＲＵによって送信された第３の通信信号を受信し、前記第３の通信信号は無線周波数信号であるように、且つ前記受信された第３の通信信号をデジタル信号に変換するように、且つ前記デジタル信号と前記第１の通信信号を同一の伝送リンク上で多重化して、前記デジタル信号と前記第１の通信信号を前記第１のＲＨＵＢに送信するように構成される、請求項６又は７に記載の屋内通信システム。
【請求項９】
第１の遠隔無線ユニットハブＲＨＵＢにより、ベースバンドユニットＢＢＵによって送信された第１の通信信号を受信するステップであって、前記ＢＢＵは、前記第１のＲＨＵＢに有線様態で接続されるステップと、
前記第１のＲＨＵＢにより、前記受信された第１の通信信号に従って第２の通信信号を第２のＲＨＵＢに送信するステップであって、前記第２のＲＨＵＢは、前記第１のＲＨＵＢに有線様態で接続されるステップとを備え、
前記第１のＲＨＵＢは、第２の出力ポートモジュールを備え、前記第２の出力ポートモジュールは、遠隔無線ユニットＲＲＵに有線様態で接続するように構成され、
前記第２の出力ポートモジュールは、少なくとも２つの第２の出力ポートを備え、且つ前記第２の出力ポートモジュールは、前記少なくとも２つの第２の出力ポートに接続された伝送リンクを使用することによって前記ＲＲＵに別々に接続するように構成され、
当該方法は、
前記第１の通信信号が、それぞれが異なるネットワーク標準に対応する少なくとも２つの通信信号を含む場合に、それぞれの通信信号のネットワーク標準を決定するステップと、
前記それぞれの通信信号の前記ネットワーク標準、及びネットワーク標準と前記少なくとも２つの第２の出力ポートとの間の事前設定された対応関係に従って、前記それぞれの通信信号を別々に出力するためのそれぞれの第２の出力ポートを選択するステップと、
前記それぞれの通信信号を、前記の選択されたそれぞれの第２の出力ポートを使用することによって前記ＲＲＵに伝送するステップとを更に備えることを特徴とする、信号伝送方法。
【請求項１０】
前記第１の通信信号は、前記第１の通信信号の宛先アドレスを示すのに使用される識別情報を備え、且つ
前記第１のＲＨＵＢにより、前記受信された第１の通信信号に従って第２の通信信号を第２のＲＨＵＢに送信する前記ステップは、
前記識別情報に従って、前記第１の通信信号の前記宛先アドレスが前記第２のＲＨＵＢであるかどうかを決定するステップと、前記第１の通信信号の前記宛先アドレスが前記第２のＲＨＵＢである場合、前記第２の通信信号を前記第２のＲＨＵＢに伝送するステップとを備える、請求項９に記載の方法。
【請求項１１】
当該方法は、
前記受信された第１の通信信号に従って第３の通信信号を遠隔無線ユニットＲＲＵに送信するステップであって、前記ＲＲＵは、前記第１のＲＨＵＢに接続されるステップを更に備える、請求項９に記載の方法。
【請求項１２】
前記第１の通信信号が、前記第１の通信信号の宛先アドレスを示すのに使用される識別情報を備える場合、
前記受信された第１の通信信号に従って第３の通信信号を遠隔無線ユニットＲＲＵに送信する前記ステップは、
前記識別情報に従って、前記第１の通信信号の前記宛先アドレスが前記ＲＲＵであるかどうかを決定するステップと、前記第１の通信信号の前記宛先アドレスが前記ＲＲＵである場合、前記第３の通信信号を前記ＲＲＵに伝送するステップとを備える、請求項１１に記載の方法。
【請求項１３】
当該方法は、
前記ＢＢＵによって送信された伝送リンク要求メッセージを受信するステップであって、前記伝送リンク要求メッセージは、前記第１のＲＨＵＢとＲＨＵＢ及び／又はＲＲＵとの間の接続についての情報を報告するよう前記第１のＲＨＵＢに要求するのに使用されるステップと、
前記伝送リンク要求メッセージに従って、前記第１のＲＨＵＢと前記第２のＲＨＵＢとの間の第１の接続についての情報を決定し、且つ前記第１の接続についての前記の決定された情報を前記ＢＢＵに送信するステップ、及び／又は
前記第１のＲＨＵＢが少なくとも１つのＲＲＵに接続される場合、前記伝送リンク要求メッセージに従って、前記第１のＲＨＵＢと前記少なくとも１つのＲＲＵとの間の第２の接続についての情報を決定し、且つ前記第２の接続についての前記の決定された情報を前記ＢＢＵに送信するステップを更に備える、請求項９から１２のいずれか一項に記載の方法。
【請求項１４】
請求項１０から１３のいずれか一項に記載の方法をコンピュータに実行させる、プログラム。
【発明の詳細な説明】
【技術分野】
【０００１】
本発明は、無線通信技術の分野に関し、且つ詳細には、遠隔無線ユニットハブＲＨＵＢ、屋内通信システム、及び信号伝送方法に関する。
【背景技術】
【０００２】
通信技術の発展とともに、より多くのモバイルサービスが、今日、屋内で行われている。統計によれば、屋内で行われる音声サービスが、通信ネットワークシステムにおける音声サービスの７０％近くを占めること、及び屋内で行われるデータサービスのトラフィックが、通信ネットワークシステムにおけるデータサービスの全トラフィックの９０％近くを占めることが判明している。
【０００３】
現在、新たに追加されたＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ，ユニバーサルモバイルテレコミュニケーションズシステム）及びＬＴＥ（Ｌｏｎｇ  Ｔｅｒｍ  Ｅｖｏｌｕｔｉｏｎ，ロングタームエボリューション）が、基本的に２ＧＨｚ周波数帯域上で展開される（９００Ｈｚと比較して、２ＧＨｚは、高周波数帯域信号に属することに留意されたい）。しかし、高周波数帯域信号は、低周波数帯域信号と比べて、より弱い貫通性を有し、その結果、新たに確立された３Ｇネットワーク及び４Ｇネットワークは、屋内信号カバレッジの品質が展開範囲内で低いという問題を有し、したがって、屋内要件が満たされることができない。
【０００４】
前述の状況に基づいて、屋内信号カバレッジ技術が登場する。一般的な屋内信号カバレッジシステムは、能動的屋内信号カバレッジシステムと受動的屋内信号カバレッジシステムに概ね分類される。
【０００５】
典型的な能動的屋内信号カバレッジシステムが、ｉＤＢＳ（Ｉｎｄｏｏｒ  Ｄｉｓｔｒｉｂｕｔｅｄ  Ｂａｓｅ  Ｓｔａｔｉｏｎ，屋内分散基地局）システムであり、且つ典型的な受動的屋内信号カバレッジシステムが、ＤＡＳ（Ｄｉｓｔｒｉｂｕｔｅｄ  Ａｎｔｅｎｎａ  Ｓｙｓｔｅｍ，分散アンテナシステム）である。
【０００６】
ＤＡＳは、ＢＢＵ（Ｂａｓｅ  Ｂａｎｄ  Ｕｎｉｔ，ベースバンドユニット）、ＲＲＵ（Ｒｅｍｏｔｅ  Ｒａｄｉｏ  Ｕｎｉｔ，遠隔無線ユニット）、結合器、アンテナデバイス、及び類似物を含む。ＤＡＳの機能原理は、ＢＢＵがＲＲＵに信号を送信し、且つＲＲＵが、信号を無線周波数信号に変換した後、無線周波数信号が、無線周波数フィーダ、結合器／スプリッタ、又はアンテナなどの伝送デバイスを使用することによって部屋に導き入れられることである。ＤＡＳシステムにおいて、スプリッタが、ＲＲＵによって処理された無線周波数信号に対して分割処理を実行した後、無線周波数信号が、アンテナデバイスを使用することによって屋内ユーザ機器に配信され、且つフィードバック信号が結合器を通過し、且つ単純な重ね合わせを経た後、屋内ユーザ機器が、無線周波数フィーダを使用することによってＲＲＵにフィードバック信号を送信する。ＤＡＳにおいて、信号は、結合器／スプリッタを使用することによって処理されることが理解され得る。機能原理は単純であるものの、比較的高いシステムノイズ、小さい信号伝送容量、及び比較的劣悪な屋内信号品質が容易にもたらされる。
【０００７】
しかし、ｉＤＢＳシステムは、３層構造、すなわち、ＢＢＵ−ＲＨＵＢ（ＲＲＵ  Ｈｕｂ，遠隔無線ユニットハブ）−ＲＲＵを使用する。１つのＢＢＵが、複数のＲＨＵＢに接続されることが可能であり、且つ各ＲＨＵＢが、複数のＲＲＵに接続されることが可能である。ＲＨＵＢとＲＲＵが、ネットワークケーブルを使用することによって接続され、ここで、ネットワークケーブルは、信号分散及び信号集約を主に完成させ、且つ電力をＲＲＵに供給し、且つＢＢＵ及びＲＲＵの機能は、ＤＡＳシステムにおけるＢＢＵ及びＲＲＵの機能と同一である。
【０００８】
ｉＤＢＳシステムにおけるＲＨＵＢデバイスの使用は、結合器／スプリッタによってもたらされる比較的高いシステムノイズ及び比較的劣悪な屋内信号品質の問題を回避するが、しかしながら、ｉＤＢＳシステムにおけるＲＨＵＢデバイスを使用することによって構築された屋内信号カバレッジシステムの構造は単純であるため、屋内信号カバレッジシステムの拡張能力は制限されており、屋内信号カバレッジシステムに関するデータサービスバーストの容量要件が満たされることができない。
【発明の概要】
【０００９】
本発明の実施形態は、ＲＨＵＢデバイスを使用することによって構築された屋内信号カバレッジシステムの構造が単純であるため、屋内信号カバレッジシステムの拡張能力が劣悪であり、更に屋内信号カバレッジシステムに関するデータサービスバーストの容量要件が満たされることができないという従来技術の問題を解決するのに使用される、遠隔無線ユニットハブＲＨＵＢ、屋内通信システム、及び信号伝送方法を提供する。
【００１０】
本発明の第１の態様によれば、入力ポートモジュールと、第１の出力ポートモジュールと、処理モジュールとを含む遠隔無線ユニットハブＲＨＵＢが提供され、ここで、
入力ポートモジュールは、ベースバンドユニットＢＢＵに有線様態で接続するように、且つＢＢＵによって送信された第１の通信信号を受信するように構成され、
第１の出力ポートモジュールは、別のＲＨＵＢに有線様態で接続するように構成され、且つ
処理モジュールは、入力ポートモジュールによって受信された第１の通信信号に従って、第２の通信信号を、第１の出力ポートモジュールを使用することによって別のＲＨＵＢに送信するように構成される。
【００１１】
本発明の第１の態様を参照して、第１の可能な実施様態において、第１の通信信号は、第１の通信信号の宛先アドレスを示すのに使用される識別情報を含み、且つ
処理モジュールは、識別情報に従って、第１の通信信号の宛先アドレスが別のＲＨＵＢであるかどうかを決定するように、且つはいである場合、第１の通信信号に従って、第２の通信信号を、第１の出力ポートモジュールを使用することによって別のＲＨＵＢに送信するように特に構成される。
【００１２】
本発明の第１の態様を参照して、又は本発明の第１の態様の第１の可能な実施様態を参照して、第２の可能な実施様態において、第１の出力ポートモジュールは、共通公衆無線インタフェースＣＰＲＩリンクを使用することによって別のＲＨＵＢに接続するように特に構成される。
【００１３】
本発明の第１の態様を参照して、本発明の第１の態様の第１の可能な実施様態を参照して、又は本発明の第１の態様の第２の可能な実施様態を参照して、第３の可能な実施様態において、ＲＨＵＢは、第２の出力ポートモジュールを更に含み、ここで、
第２の出力ポートモジュールは、遠隔無線ユニットＲＲＵに有線様態で接続するように構成される。
【００１４】
本発明の第１の態様の第３の可能な実施様態を参照して、第４の可能な実施様態において、処理モジュールは、
入力ポートモジュールによって受信された第１の通信信号に従って、第３の通信信号を、第２の出力ポートモジュールを使用することによってＲＲＵに送信するように、又は
第１の通信信号が、第１の通信信号の宛先アドレスを示すのに使用される識別情報を含み、且つ第１の通信信号の、識別情報によって示される宛先アドレスがＲＲＵである場合、第１の通信信号に従って、第３の通信信号を、第２の出力ポートモジュールを使用することによってＲＲＵに送信するように更に構成される。
【００１５】
本発明の第１の態様の第３の可能な実施様態を参照して、又は本発明の第１の態様の第４の可能な実施様態を参照して、第５の可能な実施様態において、第２の出力ポートモジュールは、少なくとも２つの第２の出力ポートを含み、且つ
第２の出力ポートモジュールは、少なくとも２つの第２の出力ポートに接続された伝送リンクを使用することによって同一のＲＲＵに別々に接続するように特に構成される。
【００１６】
本発明の第１の態様の第５の可能な実施様態を参照して、第６の可能な実施様態において、処理モジュールは、
入力ポートモジュールによって受信された第１の通信信号のネットワーク標準を決定するように、
第１の通信信号のネットワーク標準、及びネットワーク標準と少なくとも２つの第２の出力ポートとの間の事前設定された対応関係に従って、第３の通信信号を出力するための第２の出力ポートを選択するように、且つ
第３の通信信号を、選択された第２の出力ポートを使用することによってＲＲＵに伝送するように特に構成される。
【００１７】
本発明の第１の態様の第６の可能な実施様態を参照して、第７の可能な実施様態において、処理モジュールは、
選択された第２の出力ポートの数が２以上である場合、選択された第２の出力ポートに接続された伝送リンクの信号搬送能力を決定するように、且つ
選択された第２の出力ポートに接続された伝送リンクの信号搬送能力に従って、第３の通信信号を、選択された第２の出力ポートに接続された伝送リンクにおける各伝送リンクに配信して、第３の通信信号をＲＲＵに伝送するように更に構成される。
【００１８】
本発明の第１の態様の第７の可能な実施様態を参照して、第８の可能な実施様態において、信号搬送能力は、帯域幅能力を含み、且つ
処理モジュールは、伝送リンクの各伝送リンク上で伝送されるべき第３の通信信号の帯域幅が、伝送リンクの各伝送リンクの帯域幅能力より大きくない場合、伝送リンクの各伝送リンク上で伝送されるべき第３の通信信号の帯域幅を伝送リンクの各伝送リンクの帯域幅能力に調整するように、且つ調整された第３の通信信号を、伝送リンクの各伝送リンク上でＲＲＵに伝送するように特に構成される。
【００１９】
本発明の第１の態様の第７の可能な実施様態を参照して、又は本発明の第１の態様の第８の可能な実施様態を参照して、第９の可能な実施様態において、処理モジュールは、
選択された第２の出力ポートに接続された伝送リンクにおける第２の伝送リンクに、選択された第２の出力ポートに接続された伝送リンクにおける第１の伝送リンク上で搬送される第３の通信信号を転送して、第３の通信信号をＲＲＵに伝送するように更に構成される。
【００２０】
本発明の第１の態様の第９の可能な実施様態を参照して、第１０の可能な実施様態において、処理モジュールは、
伝送のために第２の伝送リンクに、第１の伝送リンク上で搬送される第３の通信信号を転送する前に、第２の伝送リンクの帯域幅能力、並びに第１の伝送リンク上及び第２の伝送リンク上で伝送される第３の通信信号の現在の帯域幅に従って、第２の伝送リンクに、第１の伝送リンク上で搬送される第３の通信信号のすべて又は一部分を転送して、第３の通信信号をＲＲＵに伝送するように特に構成される。
【００２１】
本発明の第１の態様の可能な実施様態を参照して、本発明の第１の態様の第１の可能な実施様態を参照して、本発明の第１の態様の第２の可能な実施様態を参照して、本発明の第１の態様の第３の可能な実施様態を参照して、本発明の第１の態様の第４の可能な実施様態を参照して、本発明の第１の態様の第５の可能な実施様態を参照して、本発明の第１の態様の第６の可能な実施様態を参照して、本発明の第１の態様の第７の可能な実施様態を参照して、本発明の第１の態様の第８の可能な実施様態を参照して、本発明の第１の態様の第９の可能な実施様態を参照して、又は本発明の第１の態様の第１０の可能な実施様態を参照して、第１１の可能な実施様態を参照して、入力ポートモジュールは、ＢＢＵによって送信された伝送リンク要求メッセージを受信し、ここで、伝送リンク要求メッセージは、ＲＨＵＢとＲＨＵＢ及び／又はＲＲＵとの間の接続についての情報を報告するようＲＨＵＢに要求するのに使用される、ように更に構成され、且つ
処理モジュールは、入力ポートモジュールによって受信された伝送リンク要求メッセージに従って、第１の出力ポートモジュールと別のＲＨＵＢとの間の第１の接続についての情報を決定するように、且つ第１の接続についての情報をＢＢＵに送信するように、且つ／又はＲＨＵＢが第２の出力ポートモジュールを更に含み、且つ第２の出力ポートモジュールが少なくとも１つのＲＲＵに接続される場合、伝送リンク要求メッセージに従って、第２の出力ポートモジュールに接続された少なくとも１つのＲＲＵと第２の出力ポートモジュールとの間の第２の接続についての情報を決定するように、且つ第２の接続についての情報をＢＢＵに送信するように更に構成される。
【００２２】
本発明の第２の態様によれば、入力ポートモジュールと、出力ポートモジュールと、処理モジュールとを含む遠隔無線ユニットハブＲＨＵＢが提供され、ここで、
入力ポートモジュールは、第１のＲＨＵＢに有線様態で接続するように、且つ第１のＲＨＵＢによって送信された第１の通信信号を受信するように構成され、
出力ポートモジュールは、遠隔無線ユニットＲＲＵに有線様態で接続するように構成され、且つ
処理モジュールは、入力ポートモジュールによって受信された第１の通信信号に従って、第２の通信信号を、出力ポートモジュールを使用することによってＲＲＵに送信するように構成される。
【００２３】
本発明の第３の態様によれば、屋内通信システムが提供され、ここで、屋内通信システムは、ベースバンドユニットＢＢＵと、第１の遠隔無線ユニットハブＲＨＵＢと、第２のＲＨＵＢと、第１の遠隔無線ユニットＲＲＵとを含み、ここで、
第１のＲＨＵＢは、ＢＢＵに接続するように、且つＢＢＵによって送信された第１の通信信号を受信するように構成され、
第１のＲＨＵＢは、第２のＲＨＵＢに接続するように、且つ第１の通信信号に従って第２の通信信号を第２のＲＨＵＢに送信するように更に構成され、
第２のＲＨＵＢは、第１のＲＨＵＢ及び第１のＲＲＵを接続するように、且つ第１のＲＨＵＢによって送信された第２の通信信号を受信するように構成され、且つ
第１のＲＨＵＢは、本発明の第１の態様の可能な実施様態のうちのいずれか１つ、及び第１の態様によるＲＨＵＢであり、且つ第２のＲＨＵＢは、本発明の第２の態様によるＲＨＵＢである。
【００２４】
本発明の第３の態様の可能な実施様態を参照して、第１の可能な実施様態において、屋内通信システムは、第２のＲＲＵを更に含み、且つ第１のＲＨＵＢは、第２のＲＲＵに接続するように更に構成される。
【００２５】
本発明の第３の態様の可能な実施様態を参照して、又は本発明の第３の態様の第１の可能な実施様態を参照して、第２の可能な実施様態において、屋内通信システムは、デジタル変換ユニットＤＣＵと、第３のＲＲＵとを更に含み、ここで、
第１のＲＨＵＢは、ＤＣＵを使用することによってＢＢＵに接続するように、且つＤＣＵを使用することによって、ＢＢＵによって送信された第１の通信信号を受信し、ここで、第１の通信信号はデジタル信号である、ように特に構成され、
第３のＲＲＵは、ＤＣＵに有線様態で接続するように構成され、且つ
ＤＣＵは、第３のＲＲＵ、ＢＢＵ、及び第１のＲＨＵＢを接続するように、且つ第３のＲＲＵによって送信された第３の通信信号を受信し、ここで、第３の通信信号は無線周波数信号であるように、且つ受信された第３の通信信号をデジタル信号に変換するように、且つデジタル信号と第１の通信信号を同一の伝送リンク上で多重化して、デジタル信号と第１の通信信号を第１のＲＨＵＢに送信するように構成される。
【００２６】
本発明の第４の態様によれば、
第１の遠隔無線ユニットハブＲＨＵＢにより、ベースバンドユニットＢＢＵによって送信された第１の通信信号を受信することであって、ここで、ＢＢＵは、第１のＲＨＵＢに有線様態で接続されること、及び
第１のＲＨＵＢにより、受信された第１の通信信号に従って第２の通信信号を第２のＲＨＵＢに送信することであって、ここで、第２のＲＨＵＢは、第１のＲＨＵＢに有線様態で接続されることを含む信号伝送方法が提供される。
【００２７】
本発明の第４の態様の可能な実施様態を参照して、第１の可能な実施様態において、第１の通信信号は、第１の通信信号の宛先アドレスを示すのに使用される識別情報を含み、且つ
第１のＲＨＵＢにより、受信された第１の通信信号に従って第２の通信信号を第２のＲＨＵＢに送信することは、
識別情報に従って、第１の通信信号の宛先アドレスが第２のＲＨＵＢであるかどうかを決定すること、及びはいである場合、第２の通信信号を第２のＲＨＵＢに伝送することを含む。
【００２８】
本発明の第４の態様の可能な実施様態を参照して、第２の可能な実施様態において、方法は、
受信された第１の通信信号に従って第３の通信信号を遠隔無線ユニットＲＲＵに送信することであって、ここで、ＲＲＵは、第１のＲＨＵＢに接続されることを更に含む。
【００２９】
本発明の第４の態様の第２の可能な実施様態を参照して、第３の可能な実施様態において、第１の通信信号が、通信信号の宛先アドレスを示すのに使用される識別情報を含む場合、
受信された第１の通信信号に従って第３の通信信号を遠隔無線ユニットＲＲＵに送信することは、
識別情報に従って、第１の通信信号の宛先アドレスがＲＲＵであるかどうかを決定すること、及びはいである場合、第３の通信信号をＲＲＵに伝送することを含む。
【００３０】
本発明の第４の態様の第２の可能な実施様態を参照して、又は本発明の第４の態様の第３の可能な実施様態を参照して、第４の可能な実施様態において、第１のＲＨＵＢとＲＲＵは、少なくとも２つの伝送リンクを使用することによって接続され、且つ
受信された第１の通信信号に従って第３の通信信号を遠隔無線ユニットＲＲＵに送信することは、
第１の通信信号のネットワーク標準を決定すること、
第１の通信信号のネットワーク標準、及びネットワーク標準と少なくとも２つの伝送リンクとの間の事前設定された対応関係に従って、少なくとも２つの伝送リンクから、第３の通信信号を伝送するための伝送リンクを選択すること、及び
第３の通信信号を、選択された伝送リンクを使用することによってＲＲＵに伝送することを含む。
【００３１】
本発明の第４の態様の第４の可能な実施様態を参照して、第５の可能な実施様態において、第３の通信信号を、選択された伝送リンクを使用することによってＲＲＵに伝送することは、
第３の通信信号を伝送するための選択された伝送リンクの数が２以上である場合、選択された伝送リンクの信号搬送能力を決定すること、及び
選択された伝送リンクの信号搬送能力に従って、選択された伝送リンクにおける各伝送リンクに第３の通信信号を配信して、第３の通信信号をＲＲＵに伝送することを含む。
【００３２】
本発明の第４の態様の第５の可能な実施様態を参照して、第６の可能な実施様態において、信号搬送波能力は、帯域幅能力を含み、且つ
選択された伝送リンクの信号搬送能力に従って、選択された伝送リンクにおける各伝送リンクに第３の通信信号を配信して、第３の通信信号をＲＲＵに伝送することは、
伝送リンクの各伝送リンク上で伝送されるべき第３の通信信号の帯域幅が、伝送リンクの各伝送リンクの帯域幅能力より大きくない場合、伝送リンクの各伝送リンク上で伝送されるべき第３の通信信号の帯域幅を伝送リンクの帯域幅能力に調整し、且つ伝送されるべき調整された第３の通信信号を伝送リンクの各伝送リンク上でＲＲＵに伝送することを含む。
【００３３】
本発明の第４の態様の第５の可能な実施様態を参照して、又は本発明の第４の態様の第６の可能な実施様態を参照して、第７の可能な実施様態において、方法は、
選択された伝送リンクにおける第２の伝送リンクに、選択された伝送リンクにおける第１の伝送リンク上で搬送される第３の通信信号を転送して、第３の通信信号をＲＲＵに伝送することを更に含む。
【００３４】
本発明の第４の態様の第７の可能な実施様態を参照して、第８の可能な実施様態において、選択された伝送リンクにおける第２の伝送リンクに、選択された伝送リンクにおける第１の伝送リンク上で搬送される第３の通信信号を転送して、第３の通信信号をＲＲＵに伝送することは、
第２の伝送リンクの帯域幅能力、並びに第１の伝送リンク上及び第２の伝送リンク上で伝送される第３の通信信号の現在の帯域幅に従って、第２の伝送リンクに、第１の伝送リンク上で搬送される第３の通信信号のすべて又は一部分を転送して、第３の通信信号をＲＲＵに伝送することを含む。
【００３５】
本発明の第４の態様の可能な実施様態を参照して、本発明の第４の態様の第１の可能な実施様態を参照して、本発明の第４の態様の第２の可能な実施様態を参照して、本発明の第４の態様の第３の可能な実施様態を参照して、本発明の第４の態様の第４の可能な実施様態を参照して、本発明の第４の態様の第５の可能な実施様態を参照して、本発明の第４の態様の第６の可能な実施様態を参照して、本発明の第４の態様の第７の可能な実施様態を参照して、本発明の第４の態様の第８の可能な実施様態を参照して、第９の可能な実施様態において、方法は、
ＢＢＵによって送信された伝送リンク要求メッセージを受信することであって、ここで、伝送リンク要求メッセージは、第１のＲＨＵＢとＲＨＵＢ及び／又はＲＲＵとの間の接続についての情報を報告するよう第１のＲＨＵＢに要求するのに使用されること、及び
伝送リンク要求メッセージに従って、第１のＲＨＵＢと第２のＲＨＵＢとの間の第１の接続についての情報を決定し、且つ第１の接続についての決定された情報をＢＢＵに送信すること、及び／又は
第１のＲＨＵＢが少なくとも１つのＲＲＵに接続される場合、伝送リンク要求メッセージに従って、第１のＲＨＵＢと少なくとも１つのＲＲＵとの間の第２の接続についての情報を決定し、且つ第２の接続についての決定された情報をＢＢＵに送信することを更に含む。
【００３６】
本発明の第５の態様によれば、第２の遠隔無線ユニットハブＲＨＵＢにより、第１のＲＨＵＢによって送信された第１の通信信号を受信することであって、ここで、第１のＲＨＵＢは、第２のＲＨＵＢに接続されること、及び
第２のＲＨＵＢにより、受信された第１の通信信号に従って、第２の通信信号を、第２のＲＨＵＢに接続されたＲＲＵに送信することを含む信号伝送方法が提供される。
【００３７】
本発明の第６の態様によれば、入力ポートモジュールと、出力ポートモジュールと、処理モジュールとを含む遠隔無線ユニットハブＲＨＵＢが提供され、ここで、出力ポートモジュールは、少なくとも２つの出力ポートを含み、
入力ポートモジュールは、ベースバンドユニットＢＢＵに有線様態で接続するように、且つＢＢＵによって送信された第１の通信信号を受信するように構成され、
出力ポートモジュールは、少なくとも２つの出力ポートに接続された伝送リンクを使用することによって同一の遠隔無線ユニットＲＲＵに接続するように構成され、且つ
処理モジュールは、入力ポートモジュールによって受信された第１の通信信号に従って、第２の通信信号を、出力ポートモジュールを使用することによってＲＲＵに送信するように構成される。
【００３８】
本発明の第６の態様の可能な実施様態を参照して、第１の可能な実施様態において、処理モジュールは、
入力ポートモジュールによって受信された第１の通信信号のネットワーク標準を決定するように、
第１の通信信号のネットワーク標準、及びネットワーク標準と少なくとも２つの出力ポートとの間の事前設定された対応関係に従って、第２の通信信号を出力するための出力ポートを選択するように、且つ
第２の通信信号を、選択された出力ポートを使用することによってＲＲＵに伝送するように特に構成される。
【００３９】
本発明の第６の態様の第１の可能な実施様態を参照して、第２の可能な実施様態において、処理モジュールは、
選択された出力ポートの数が２以上である場合、選択された出力ポートに接続された伝送リンクの信号搬送能力を決定するように、且つ
選択された出力ポートに接続された伝送リンクの信号搬送能力に従って、第２の通信信号を、選択された出力ポートに接続された伝送リンクにおける各伝送リンクに配信して、第２の通信信号をＲＲＵに伝送するように更に構成される。
【００４０】
本発明の第６の態様の第２の可能な実施様態を参照して、第３の可能な実施様態において、信号搬送能力は、帯域幅能力を含み、且つ
処理モジュールは、第２の通信信号の帯域幅が、伝送リンクの各伝送リンクの帯域幅能力より大きくない場合、第２の通信信号の帯域幅を、伝送リンクの各伝送リンクの帯域幅能力に調整するように、且つ調整された第２の通信信号を、伝送リンクの各伝送リンク上でＲＲＵに伝送するように特に構成される。
【００４１】
本発明の第６の態様の第２の可能な実施様態を参照して、又は本発明の第６の態様の第３の可能な実施様態を参照して、第４の可能な実施様態において、処理モジュールは、
選択された第２の出力ポートに接続された伝送リンクにおける第２の伝送リンクに、選択された第２の出力ポートに接続された伝送リンクにおける第１の伝送リンク上で搬送される第２の通信信号を転送して、第２の通信信号をＲＲＵに伝送するように更に構成される。
【００４２】
本発明の第６の態様の第４の可能な実施様態を参照して、第５の可能な実施様態において、処理モジュールは、
第２の伝送リンクの帯域幅能力、並びに第１の伝送リンク上及び第２の伝送リンク上で伝送される第２の通信信号の現在の帯域幅に従って、第２の伝送リンクに、第１の伝送リンク上で搬送される第２の通信信号のすべて又は一部分を転送して、第２の通信信号をＲＲＵに伝送するように特に構成される。
【００４３】
本発明の第７の態様によれば、信号伝送方法が提供され、ここで、方法は、
第１の遠隔無線ユニットハブＲＨＵＢにより、ベースバンドユニットＢＢＵによって送信された第１の通信信号を受信することであって、ここで、第１のＲＨＵＢは、少なくとも２つの伝送リンクを使用することによって同一の遠隔無線ユニットＲＲＵに接続されること、及び
第１のＲＨＵＢにより、受信された第１の通信信号に従って第２の通信信号をＲＲＵに送信することを含む。
【００４４】
本発明の第７の態様の可能な実施様態を参照して、第１の可能な実施様態において、第１のＲＨＵＢにより、受信された第１の通信信号に従って第２の通信信号をＲＲＵに送信することは、
第１の通信信号のネットワーク標準を決定すること、
第１の通信信号のネットワーク標準、及びネットワーク標準と少なくとも２つの伝送リンクとの間の事前設定された対応関係に従って、少なくとも２つの伝送リンクから、第２の通信信号を伝送するための伝送リンクを選択すること、及び
第２の通信信号を、選択された伝送リンクを使用することによってＲＲＵに伝送することを含む。
【００４５】
本発明の第７の態様の第１の可能な実施様態を参照して、第２の可能な実施様態において、第２の通信信号を、選択された伝送リンクを使用することによってＲＲＵに伝送することは、
選択された伝送リンクの数が２以上である場合、選択された伝送リンクの信号搬送能力を決定すること、及び
選択された伝送リンクの信号搬送能力に従って、第２の通信信号を、選択された伝送リンクにおける各伝送リンクに配信して、第２の通信信号をＲＲＵに伝送することを含む。
【００４６】
本発明の第７の態様の第２の可能な実施様態を参照して、第３の可能な実施様態において、信号搬送能力は、帯域幅能力を含み、且つ
選択された伝送リンクの信号搬送能力に従って、第２の通信信号を、選択された伝送リンクにおける各伝送リンクに配信して、第２の通信信号をＲＲＵに伝送することは、
第２の通信信号の帯域幅が、伝送リンクの各伝送リンクの帯域幅能力より大きくない場合、第２の通信信号の帯域幅を、伝送リンクの各伝送リンクの帯域幅能力に調整し、且つ第２の通信信号を、伝送リンクの各伝送リンク上でＲＲＵに伝送することを含む。
【００４７】
本発明の第７の態様の第２の可能な実施様態を参照して、又は本発明の第７の態様の第３の可能な実施様態を参照して、第４の可能な実施様態において、方法は、
選択された伝送リンクにおける第２の伝送リンクに、選択された伝送リンクにおける第１の伝送リンク上で搬送される通信信号を転送して、通信信号をＲＲＵに伝送することを更に含む。
【００４８】
本発明の第７の態様の第４の可能な実施様態を参照して、第５の可能な実施様態において、選択された伝送リンクにおける第２の伝送リンクに、選択された伝送リンクにおける第１の伝送リンク上で搬送される通信信号を転送して、通信信号をＲＲＵに伝送することは、
伝送のために第２の伝送リンクに、第１の伝送リンク上で搬送される通信信号を転送する前に、第２の伝送リンクの帯域幅能力、並びに第１の伝送リンク上及び第２の伝送リンク上で伝送される通信信号の現在の帯域幅に従って、第２の伝送リンクに、第１の伝送リンク上で搬送される通信信号のすべて又は一部分を転送して、通信信号をＲＲＵに伝送することを含む。
【００４９】
本発明の実施形態は、入力ポートモジュールと、第１の出力ポートモジュールと、処理モジュールとを含む遠隔無線ユニットハブＲＨＵＢを提供する。入力ポートモジュールは、ベースバンドユニットＢＢＵに有線様態で接続され、且つＢＢＵによって送信された第１の通信信号を受信し、第１の出力ポートモジュールは、別のＲＨＵＢに有線様態で接続され、且つ処理モジュールは、入力ポートモジュールによって受信された第１の通信信号に従って、第２の通信信号を、第１の出力ポートモジュールを使用することによって別のＲＨＵＢに送信し、その結果、異なるＲＨＵＢの間でカスケーディングを実施して、屋内通信システムの信号カバレッジ容量を効果的に拡大し、且つ屋内通信システムの信頼性を向上させる。
【図面の簡単な説明】
【００５０】
【図１】本発明の実施形態１によるＲＨＵＢの概略構造図である。
【図２】複数のＲＨＵＢの間のカスケーディングの概略構造図である。
【図３】ＲＨＵＢの第２の出力ポートモジュールに含まれる少なくとも２つの第２の出力ポートが同一のＲＲＵに接続された概略構造図である。
【図４】ＲＨＵＢの第２の出力ポートモジュールに含まれる少なくとも２つの第２の出力ポートが同一のＲＲＵに接続された概略構造図である。
【図５】本発明の実施形態２によるＲＨＵＢの概略構造図である。
【図６】本発明の実施形態３による屋内通信システムの概略構造図である。
【図７】屋内通信システムの概略構造図である。
【図８】デジタル変換ユニットＤＣＵの概略構造図である。
【図９】本発明の実施形態４による信号伝送方法の概略流れ図である。
【図１０】本発明の実施形態５によるＲＨＵＢの概略構造図である。
【図１１】本発明の実施形態６による信号伝送方法の概略流れ図である。
【発明を実施するための形態】
【００５１】
本発明の実施形態は、遠隔無線ユニットハブＲＨＵＢ、屋内通信システム、及び信号伝送方法を提供する。ＲＨＵＢは、入力ポートモジュールと、第１の出力ポートモジュールと、処理モジュールとを含み、ここで、入力ポートモジュールは、ベースバンドユニットＢＢＵに有線様態で接続するように、且つＢＢＵによって送信された第１の通信信号を受信するように構成され、第１の出力ポートモジュールは、別のＲＨＵＢに有線様態で接続するように構成され、且つ処理モジュールは、入力ポートモジュールによって受信された第１の通信信号に従って、第２の通信信号を、第１の出力ポートモジュールを使用することによって別のＲＨＵＢに送信するように構成される。このようにして、ＲＨＵＢは、第１の出力ポートモジュールを使用することによって異なるレベルにおけるＲＨＵＢを相手に信号伝送を実行し、その結果、異なるＲＨＵＢの間でカスケーディングを実施して、屋内通信システムの信号カバレッジ容量を効果的に拡大し、且つ屋内通信システムの信頼性を向上させる。
【００５２】
下記に、本発明の実施形態を、本明細書の添付の図面を参照して詳細に説明する。
【００５３】
実施形態１
図１に示されるとおり、図１は、本発明の実施形態１による遠隔無線ユニットハブＲＨＵＢ１０の概略構造図である。ＲＨＵＢ１０は、入力ポートモジュール１１と、第１の出力ポートモジュール１２と、処理モジュール１３とを含み、ここで、
入力ポートモジュール１１は、ベースバンドユニットＢＢＵに有線様態で接続するように、且つＢＢＵによって送信された第１の通信信号を受信するように構成され、
第１の出力ポートモジュール１２は、別のＲＨＵＢ２０に有線様態で接続するように構成され、且つ
処理モジュール１３は、入力ポートモジュール１１によって受信された第１の通信信号に従って、第２の通信信号を、第１の出力ポートモジュール１２を使用することによって別のＲＨＵＢ２０に送信するように構成される。
【００５４】
特に、入力ポートモジュール１１は、ＢＢＵに、例えば、共通公衆無線インタフェース（Ｃｏｍｍｏｎ  Ｐｕｂｌｉｃ  Ｒａｄｉｏ  Ｉｎｔｅｒｆａｃｅ，ＣＰＲＩ）リンクであることが可能なファイバを使用することによって直接接続様態で接続されることが可能であり、このようにして、伝送リンクに関する要件が、通信信号がＢＢＵとＲＨＵＢとの間で伝送される場合に効果的に保証される。
【００５５】
第１の通信信号と第２の通信信号は、同一であってもよく、又は異なっていてもよく、このことは、本明細書において限定されない。特に、第２の通信信号は、第１の通信信号に対して単純な処理を実行することによって得られることが可能である。例えば、第２の通信信号における情報フレームは、第１の通信信号における情報フレーム内の情報要素を削除することによって得られることが可能である。
【００５６】
任意に、第１の通信信号は、通信信号の宛先アドレスを示すのに使用される識別情報を含むことが可能である。処理モジュール１３は、識別情報に従って、第１の通信信号の宛先アドレスが別のＲＨＵＢであるかどうかを決定するように、且つはいである場合、第１の通信信号に従って、第２の通信信号を、第１の出力ポートモジュール１２を使用することによって別のＲＨＵＢに送信するように特に構成される。
【００５７】
任意に、第１の出力ポートモジュール１２は、ＣＰＲＩリンクを使用することによって別のＲＨＵＢに接続するように特に構成される。
【００５８】
すなわち、ＲＨＵＢが、第１の出力ポートを使用することによって別のＲＨＵＢに対するカスケーディングを実施し、且つＢＢＵから受信された通信信号を別のＲＨＵＢに転送し、その結果、システムの信号容量を拡大する。
【００５９】
任意に、入力ポートモジュール１１は、ＢＢＵによって送信された伝送リンク要求メッセージを受信し、ここで、伝送リンク要求メッセージは、ＲＨＵＢとＲＨＵＢ及び／又はＲＲＵとの間の接続についての情報を報告するようＲＨＵＢに要求するのに使用される、ように更に構成され、且つ
処理モジュール１３は、入力ポートモジュール１１によって受信された伝送リンク要求メッセージに従って、第１の出力ポートモジュールと別のＲＨＵＢとの間の第１の接続についての情報を決定するように、且つ第１の接続についての情報をＢＢＵに送信するように、且つ／又は
ＲＨＵＢが第２の出力ポートモジュール１４を更に含み、且つ第２の出力ポートモジュール１４が少なくとも１つのＲＲＵに接続される場合、伝送リンク要求メッセージに従って、第２の出力ポートモジュール１４に接続された少なくとも１つのＲＲＵと第２の出力ポートモジュール１４との間の第２の接続についての情報を決定するように、且つ第２の接続についての情報をＢＢＵに送信するように更に構成される。
【００６０】
本発明のこの実施形態によって提供される遠隔無線ユニットハブＲＨＵＢは、入力ポートモジュールと、第１の出力ポートモジュールと、処理モジュールとを含み、ここで、入力ポートモジュールは、ベースバンドユニットＢＢＵに有線様態で接続され、且つＢＢＵによって送信された第１の通信信号を受信し、第１の出力ポートモジュールは、別のＲＨＵＢに有線様態で接続され、且つ処理モジュールは、入力ポートモジュールによって受信された第１の通信信号に従って、第２の通信信号を、第１の出力ポートモジュールを使用することによって別のＲＨＵＢに送信する。このようにして、ＲＨＵＢは、第１の出力ポートモジュールを使用することによって異なるレベルにおけるＲＨＵＢを相手に信号伝送を実行し、その結果、異なるＲＨＵＢの間でカスケーディングを実施して、屋内通信システムの信号カバレッジ容量を効果的に拡大し、且つ屋内通信システムの信頼性を向上させる。
【００６１】
任意に、図２に示されるとおり、この実施形態の実施シナリオにおいて、ＲＨＵＢは、第２の出力ポートモジュール１４を更に含み、ここで、
第２の出力ポートモジュール１４は、遠隔無線ユニットＲＲＵに有線様態で接続するように構成される。
【００６２】
第２の出力ポートモジュール１４は、特にネットワークケーブルインタフェースであることが可能であり、且つ有線様態は、特にネットワークケーブルを使用することによる接続であることが可能であることに留意されたい。通信信号を伝送する機能に加えて、ネットワークケーブルは、ＲＲＵに電力を供給するのに更に使用される。
【００６３】
更に、処理モジュール１３は、
入力ポートモジュールによって受信された第１の通信信号に従って、第３の通信信号を、第２の出力ポートモジュール１４を使用することによってＲＲＵに送信するように、又は
第１の通信信号が、第１の通信信号の宛先アドレスを示すのに使用される識別情報を含み、且つ第１の通信信号の、識別情報によって示される宛先アドレスがＲＲＵである場合、第１の通信信号に従って、第３の通信信号を、第２の出力ポートモジュール１４を使用することによってＲＲＵに送信するように更に構成される。
【００６４】
第１の通信信号と第３の通信信号は、同一であってもよく、又は異なっていてもよく、このことは、本明細書において限定されない。特に、第３の通信信号は、第１の通信信号に対して単純な処理を実行することによって得られることが可能である。例えば、第３の通信信号における情報フレームは、第１の通信信号における情報フレーム内の情報要素を削除することによって得られることが可能である。
【００６５】
任意に、第２の出力ポートモジュール１４は、少なくとも２つの第２の出力ポートを含み、且つ少なくとも２つの第２の出力ポートは、１４１から１４Ｎによって表されることが可能であり、ここで、Ｎは、２以上の整数である。
【００６６】
第２の出力ポートモジュール１４は、少なくとも２つの第２の出力ポートに接続された伝送リンクを使用することによって同一のＲＲＵに接続するように特に構成される。
【００６７】
特に、少なくとも２つの第２の出力ポートに接続された伝送リンクは、ネットワークケーブルであること、又はＣＰＲＩであることが可能であり、このことは、特に限定されない。
【００６８】
特に、第２の出力ポートモジュール１４とＲＲＵを接続する様態は、後段の例を使用することによって説明されることが可能である。
【００６９】
図３に示されるとおり、図３は、ＲＨＵＢの第２の出力ポートモジュール１４に含まれる少なくとも２つの第２の出力ポートが同一のＲＲＵに接続された概略構造図である。
【００７０】
図３から、ＲＨＵＢの第２の出力ポートモジュール１４が１２個の第２の出力ポートを含む、すなわち、Ｎ＝１２であるものと仮定すると、ＲＨＵＢの第２の出力ポートモジュールに含まれる１２個の第２の出力ポートがグループ化され、ここで、第２の出力ポート１から４が、ネットワークケーブルを使用することによってＲＲＵ１に接続され、第２の出力ポート５から８が、ネットワークケーブルを使用することによってＲＲＵ２に接続され、且つ第２の出力ポート９から１２が、ネットワークケーブルを使用することによってＲＲＵ３に接続されることが理解され得る。
【００７１】
図４に示されるとおり、図４は、ＲＨＵＢの第２の出力ポートモジュールに含まれる少なくとも２つの第２の出力ポートが同一のＲＲＵに接続された概略構造図である。
【００７２】
図４から、ＲＨＵＢの第２の出力ポートモジュールが１２個の第２の出力ポートを含むものと仮定すると、ＲＨＵＢの第２の出力ポートモジュールに含まれる１２個の第２の出力ポートがグループ化され、ここで、第２の出力ポート１から４が、ネットワークケーブルを使用することによってＲＲＵ１に接続され、第２の出力ポート５が、ネットワークケーブルを使用することによってＲＲＵ２に接続され、第２の出力ポート６が、ネットワークケーブルを使用することによってＲＲＵ３に接続され、第２の出力ポート７が、ネットワークケーブルを使用することによってＲＲＵ４に接続され、第２の出力ポート８が、ネットワークケーブルを使用することによってＲＲＵ５に接続され、第２の出力ポート９が、ネットワークケーブルを使用することによってＲＲＵ６に接続され、第２の出力ポート１０が、ネットワークケーブルを使用することによってＲＲＵ７に接続され、且つ第２の出力ポート１１から１２が、ネットワークケーブルを使用することによってＲＲＵ８に接続されることが理解され得る。
【００７３】
更に任意に、処理モジュール１３は、
入力ポートモジュール１１によって受信された第１の通信信号のネットワーク標準を決定するように、
第１の通信信号のネットワーク標準、及びネットワーク標準と少なくとも２つの第２の出力ポートとの間の事前設定された対応関係に従って、第３の通信信号を出力するための第２の出力ポートを選択するように、且つ
第３の通信信号を、選択された第２の出力ポートを使用することによってＲＲＵに伝送するように特に構成される。入力ポートモジュール１１によって受信される第１の通信信号は、単一の標準をサポートする通信信号であってもよく、又は複数の標準をサポートする通信信号であってもよく、このことは、本明細書において限定されないことに留意されたい。
【００７４】
例えば、第１の通信信号のネットワーク標準は、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ、グローバルシステムフォーモバイルコミュニケーションズ）システムネットワーク標準、ＴＤ−ＳＣＤＭＡ（Ｔｉｍｅ  Ｄｉｖｉｓｉｏｎ  Ｓｙｎｃｈｒｏｎｉｚｅｄ  Ｃｏｄｅ  Ｄｉｖｉｓｉｏｎ  Ｍｕｌｔｉｐｌｅ  Ａｃｃｅｓｓ，時分割同期）システムネットワーク標準、ＣＤＭＡ（Ｃｏｄｅ  Ｄｉｖｉｓｉｏｎ  Ｍｕｌｔｉｐｌｅ  Ａｃｃｅｓｓ，符号分割多元接続）システムネットワーク標準、ＷＣＤＭＡ（Ｗｉｄｅ−ｂａｎｄ  Ｃｏｄｅ  Ｄｉｖｉｓｉｏｎ  Ｍｕｌｔｉｐｌｅ  Ａｃｃｅｓｓ，広帯域符号分割多元接続）システムネットワーク標準、ＣＤＭＡ２０００（Ｃｏｄｅ  Ｄｉｖｉｓｉｏｎ  Ｍｕｌｔｉｐｌｅ  Ａｄｄｒｅｓｓｉｎｇ  ２０００，符号分割多重アドレス指定２０００）システムネットワーク標準、ＴＤ−ＬＴＥ（Ｔｉｍｅ  Ｄｉｖｉｓｉｏｎ  Ｌｏｎｇ  Ｔｅｒｍ  Ｅｖｏｌｕｔｉｏｎ，時分割ロングタームエボリューション）システムネットワーク標準、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ，ユニバーサルモバイルテレコミュニケーションズシステム）ネットワーク標準、及び類似するネットワーク標準を含むが、上記には限定されない。
【００７５】
例えば、受信された第１の通信信号が、ＵＭＴＳネットワーク標準をサポートする通信信号１と、ＬＴＥネットワーク標準をサポートする通信信号２とを含む場合、処理モジュール１３は、受信された通信信号１によってサポートされるネットワーク標準ＵＭＴＳを決定し、且つネットワーク標準ＵＭＴＳと第２の出力ポート２との間の事前設定された対応関係に従って、通信信号１を、第２の出力ポート２を使用することによってＲＲＵに送信し、且つ受信された通信信号２によってサポートされるネットワーク標準ＬＴＥも決定し、且つネットワーク標準ＬＴＥと第２の出力ポート４との間の事前設定された対応関係に従って、通信信号２を、第２の出力ポート４を使用することによってＲＲＵに送信する。ネットワーク標準と少なくとも２つの第２の出力ポートとの間の事前設定された対応関係は、入力デバイスを使用することによってＲＨＵＢに対して事前設定されることが可能であり、又はその対応関係は、ＲＨＵＢにより、第１の通信信号によってサポートされるネットワーク標準に従って第２の出力ポートモジュールに含まれる第２の出力ポートを分類することによって得られることが可能である。例えば、第２の出力ポートモジュール１４が１２個の第２の出力ポートを含み、且つ第１の通信信号の３つのネットワーク標準が存在する場合、ネットワーク標準の各タイプが、４つの第２の出力ポートに対応することが可能である。
【００７６】
第２の出力ポートモジュール１４に含まれる第２の出力ポートが分類された際、いくつかの第２の出力ポートが１つだけのネットワーク標準をサポートする状況、及びいくつかの第２の出力ポートが複数のネットワーク標準をサポートする状況が存在することに留意されたい。したがって、１つだけのネットワーク標準をサポートする第２の出力ポートは、そのネットワーク標準をサポートする通信信号の専用出力ポートとして使用されることが可能であり、且つ複数のネットワーク標準をサポートする第２の出力ポートは、１つだけのネットワーク標準をサポートする通信信号によって使用されることが可能であり、且つ複数のネットワーク標準を同時にサポートする通信信号の専用伝送ポートとして使用されることも可能であり、このことは、本明細書において限定されない。
【００７７】
例えば、ＧＳＭネットワーク標準だけをサポートする通信信号を出力するのに使用される第２の出力ポートは、第２の出力ポート１であり、且つ、その場合、第２の出力ポート１は、ＧＳＭネットワーク標準だけをサポートする通信信号を出力するための専用出力ポートとして使用され、且つ第２の出力ポート１は、好ましくは、ＢＢＵによって送信された通信信号によってサポートされ、且つ入力ポートによって受信されるネットワーク標準がＧＳＭネットワーク標準であるという条件付きで、出力ポートとして使用され、ＵＭＴＳネットワーク標準とＴＤ−ＬＴＥネットワーク標準の両方をサポートする通信信号を出力するのに使用される第２の出力ポートは、第２の出力ポート３であり、且つ、その場合、第２の出力ポート３は、ＵＭＴＳネットワーク標準とＴＤ−ＬＴＥネットワーク標準の両方をサポートする通信信号を出力するための専用出力ポートとして使用されることが可能であり、且つＵＭＴＳネットワーク標準だけをサポートする通信信号、又はＴＤ−ＬＴＥネットワーク標準だけをサポートする通信信号を出力するためのポートとして使用されることも可能であり、このことは、本明細書において限定されない。
【００７８】
更に、処理モジュール１３は、
選択された第２の出力ポートの数が２以上である場合、選択された第２の出力ポートに接続された伝送リンクの信号搬送能力を決定するように、且つ
信号搬送能力に従って、第３の通信信号を、選択された第２の出力ポートに接続された伝送リンクにおける各伝送リンクに配信して、第３の通信信号をＲＲＵに伝送するように更に構成される。
【００７９】
受信された第１の通信信号が、ＵＭＴＳネットワーク標準をサポートする通信信号１であるものと仮定すると、選択された第２の出力ポートは、別々に、第２の出力ポート２及び第２の出力ポート３であり、この事例において、第２の出力ポート２に接続された伝送リンクの信号搬送能力、及び第２の出力ポート３に接続された伝送リンクの信号搬送能力が決定され、且つ第２の出力ポート２に接続された伝送リンクの信号搬送能力、及び第２の出力ポート３に接続された伝送リンクの信号搬送能力に従って、通信信号１が、第２の出力ポート２に接続された伝送リンクに配信されて、ＲＲＵに伝送され、且つ通信信号１が、第２の出力ポート３に接続された伝送リンクに配信されて、ＲＲＵに伝送される。
【００８０】
任意に、信号搬送能力は、帯域幅能力を含み、且つ処理モジュール１３は、
伝送リンクの各伝送リンク上で伝送されるべき第３の通信信号の帯域幅が、伝送リンクの各伝送リンクの帯域幅能力より大きくない場合、伝送リンクの各伝送リンク上で伝送されるべき第３の通信信号の帯域幅を伝送リンクの各伝送リンクの帯域幅能力に調整するように、且つ調整された第３の通信信号を、伝送リンクの各伝送リンク上でＲＲＵに伝送するように特に構成される。
【００８１】
依然として前述の事例を例として使用すると、第２の出力ポート２に接続された伝送リンクの帯域幅能力が通信信号１の帯域幅より小さい場合、通信信号１の帯域幅は、第２の出力ポート２に接続された伝送リンクの帯域幅能力に調整され、且つ通信信号１は、第２の出力ポート２に接続された伝送リンクを使用することによってＲＲＵに伝送され、第２の出力ポート２に接続された伝送リンクの帯域幅能力が通信信号１の帯域幅より大きい場合、通信信号１は、第２の出力ポート２に接続された伝送リンクを使用することによって通信信号１の帯域幅に従ってＲＲＵに伝送される。
【００８２】
任意に、処理モジュール１３は、選択された第２の出力ポートに接続された伝送リンクにおける第２の伝送リンクに、選択された第２の出力ポートに接続された伝送リンクにおける第１の伝送リンク上で搬送される第３の通信信号を転送して、第３の通信信号をＲＲＵに伝送するように更に構成される。
【００８３】
依然として前述の事例を例として使用すると、通信信号が、第２の出力ポートモジュールの第２の出力ポート２に接続された伝送リンク、及び第２の出力ポートモジュールの第２の出力ポート３に接続された伝送リンクを使用することによってＲＨＵＢとＲＲＵとの間で伝送される場合、第２の出力ポート２に接続された伝送リンク上で搬送される通信信号が、第２の出力ポート３に接続された伝送リンクに転送されて、ＲＲＵに伝送されることが可能であり、又は第２の出力ポート３に接続された伝送リンク上で搬送される通信信号が、第２の出力ポート２に接続された伝送リンクに転送されて、ＲＲＵに伝送されることが可能である。
【００８４】
任意に、処理モジュール１３は、伝送のために第２の伝送リンクに、第１の伝送リンク上で搬送される第３の通信信号を転送する前に、第２の伝送リンクの帯域幅能力、並びに第１の伝送リンク上及び第２の伝送リンク上で伝送される第３の通信信号の現在の帯域幅に従って、第２の伝送リンクに、第１の伝送リンク上で搬送される第３の通信信号のすべて又は一部分を転送して、第３の通信信号をＲＲＵに伝送するように特に構成される。
【００８５】
すなわち、第２の伝送リンクの現在の余剰帯域幅が、第１の伝送リンク上で搬送され、且つ伝送される通信信号の帯域幅より大きい場合、第１の伝送リンク上で搬送される通信信号のすべてが、第２の伝送リンクに転送されて、ＲＲＵに伝送され、且つ第２の伝送リンクの現在の余剰帯域幅が、第１の伝送リンク上で搬送され、且つ伝送される通信信号の帯域幅より大きくない場合、第１の伝送リンク上で搬送される通信信号の一部分が、第２の伝送リンクに転送されて、ＲＲＵに伝送される。第２の伝送リンクの余剰帯域幅は、第２の伝送リンクの帯域幅能力と第２の伝送リンク上で現在搬送される通信信号の帯域幅との間の差である。本発明のこの実施形態において、伝送リンクの信号搬送能力は、帯域幅を使用することによって表されることに限定されず、伝送レートを使用することによって表されることも可能であり、このことは、本明細書において限定されないことに留意されたい。
【００８６】
このようにして、屋内信号のアクセス容量が低減されるものの、屋内信号カバレッジが保証される。
【００８７】
任意に、伝送リンクにおいて障害が生じた場合、伝送リンクを選択するための基礎は、下記の規則を含むことが可能であるが、下記の規則には限定されない。すなわち、通信信号の伝送をサポートする第２の出力ポートが、好ましくは、選択され、且つ、その場合、第２の出力ポートの、強い信号搬送能力を有する伝送リンクが選択され、このことは、本明細書において更に限定されない。
【００８８】
実施形態２
図５に示されるとおり、図５は、本発明の実施形態２による遠隔無線ユニットハブＲＨＵＢの概略構造図である。本発明の実施形態２は、本発明の実施形態１と同一の発明概念を有する発明であり、本発明の実施形態２において説明されるＲＨＵＢは、本発明の実施形態１において言及される別のＲＨＵＢ２０であり、入力ポートモジュール２１と、出力ポートモジュール２２と、処理モジュール２３とを含む。
【００８９】
入力ポートモジュール２１は、第１のＲＨＵＢ１０に有線様態で接続するように、且つ第１のＲＨＵＢによって送信された第１の通信信号を受信するように構成される。
【００９０】
入力ポートモジュール２１は、ネットワークケーブルを使用することによって、本発明の実施形態１によって提供されるＲＨＵＢに接続され、且つ本発明の実施形態１によって提供されるＲＨＵＢによって送信される第１の通信信号を受信することに留意されたい。
【００９１】
出力ポートモジュール２２は、遠隔無線ユニットＲＲＵに有線様態で接続するように構成される。
【００９２】
特に、出力ポートモジュール２２は、ネットワークケーブル又はＣＰＲＩリンクを使用することによってＲＲＵに接続されることが可能であり、このことは、本明細書において限定されない。
【００９３】
処理モジュール２３は、入力ポートモジュール２１によって受信された第１の通信信号に従って、第２の通信信号を、出力ポートモジュール２２を使用することによってＲＲＵに送信するように構成される。
【００９４】
実施形態３
図６に示されるとおり、図６は、本発明の実施形態３による屋内通信システムの概略構造図である。本発明の実施形態３は、本発明の実施形態１乃至本発明の実施形態２と同一の発明概念を有する発明である。屋内通信システムは、ベースバンドユニットＢＢＵ３１と、第１の遠隔無線ユニットＲＲＵ３２と、第１の遠隔無線ユニットハブＲＨＵＢ３３と、第２のＲＨＵＢ３４とを含み、ここで、
第１のＲＨＵＢ３３は、ＢＢＵ３１に接続するように、且つＢＢＵ３１によって送信された第１の通信信号を受信するように構成され、
第１のＲＨＵＢ３３は、第２のＲＨＵＢ３４に接続するように、且つ第１の通信信号に従って第２の通信信号を第２のＲＨＵＢ３４に送信するように更に構成され、
第２のＲＨＵＢ３４は、第１のＲＨＵＢ３３及び第１のＲＲＵ３２に接続するように、且つ第１のＲＨＵＢ３３によって送信された第２の通信信号を受信するように構成され、且つ
第１のＲＨＵＢ３３は、図１に示される実施形態におけるＲＨＵＢであり、且つ第２のＲＨＵＢ３４は、図５に示される実施形態におけるＲＨＵＢである。
【００９５】
任意に、屋内通信システムは、第２のＲＲＵを更に含み、且つ第１のＲＨＵＢ３３は、第２のＲＲＵに接続するように更に構成される。
【００９６】
任意に、屋内通信システムは、ＤＣＵ（Ｄｉｇｉｔａｌ  Ｃｏｎｖｅｒｓｉｏｎ  Ｕｎｉｔ，デジタル変換ユニット）３５と、第３のＲＲＵ３６とを更に含み、ここで、
第１のＲＨＵＢ３３は、ＤＣＵ３５を使用することによってＢＢＵ３１に接続するように、且つ、ＤＣＵ３５を使用することによって、ＢＢＵ３１によって送信された第１の通信信号を受信し、ここで、第１の通信信号はデジタル信号である、ように特に構成され、
第３のＲＲＵ３６は、ＤＣＵ３５に有線様態で接続するように構成され、且つ
ＤＣＵ３５は、第３のＲＲＵ３６、ＢＢＵ３１、及び第１のＲＨＵＢ３３を接続するように、且つ第３のＲＲＵ３６によって送信された第３の通信信号を受信し、ここで、第３の通信信号は無線周波数信号であるように、且つ受信された第３の通信信号をデジタル信号に変換するように、且つデジタル信号と第１の通信信号を同一の伝送リンク上で多重化して、デジタル信号と第１の通信信号を第１のＲＨＵＢに送信するように構成される。
【００９７】
複数の第１のＲＨＵＢが、屋内通信システムに存在することが可能であることに留意されたい。図７に示されるとおり、図７は、屋内通信システムの概略構造図である。２つの第１のＲＨＵＢが存在するものと仮定すると、各第１のＲＨＵＢは、少なくとも１つの第２のＲＨＵＢ３４に接続するように、且つＢＢＵ３１に接続するように構成され、ここで、
第２のＲＨＵＢ３４は、少なくとも１つのＲＲＵ３２１に接続するように構成され、且つ
各第１のＲＨＵＢ３３は、少なくとも１つのＲＲＵ３２２に接続するように構成されることが図７から分かり得る。
【００９８】
第１のＲＨＵＢ３３のうちの少なくとも２つは、同一のＲＲＵに接続するように特に構成されることに留意されたい。
【００９９】
同一のＲＲＵに接続された第１のレベルにおける複数のＲＨＵＢの間で、第１のレベルにおける１つのＲＨＵＢにおいて障害が生じた場合、第１のレベルにおける他のＲＨＵＢが、ＲＲＵに、ＢＢＵからの通信信号を更に伝送することが可能であり、このことが、屋内信号カバレッジのための要件を満たし、その結果、屋内通信システムの信頼性を効果的に向上させることが図７から更に理解され得る。
【０１００】
更に、同一のＲＲＵに接続された複数の第１のＲＨＵＢの間で、各第１のＲＨＵＢの第２の出力ポートモジュールが同一のＲＲＵに接続される。しかし、各第１のＲＨＵＢの第２の出力ポートモジュールに接続された伝送リンク上で伝送される通信信号のネットワーク標準は、異なることが可能である。
【０１０１】
例えば、第１のＲＨＵＢ１がＲＲＵ１に接続され、且つ第１のＲＨＵＢ２がＲＲＵ１に接続され、ＵＭＴＳ信号を受信する場合、第１のＲＨＵＢ１が、ＵＭＴＳ信号を、第１のＲＨＵＢ１の第２の出力ポートモジュールに接続された伝送リンクを使用することによってＲＲＵ１に伝送することが内部で事前設定され、且つＬＴＥ信号を受信する場合、第１のＲＨＵＢ２が、ＬＴＥ信号を、第１のＲＨＵＢ２の第２の出力ポートモジュールに接続された伝送リンクを使用することによってＲＲＵ１に伝送することが内部で事前設定される。この事例において、第１のＲＨＵＢ１及び第１のＲＨＵＢ２は、ＢＢＵから通信信号１を受信する。通信信号１がＵＭＴＳネットワーク標準をサポートする場合、通信信号１は、第１のＲＨＵＢ１の第２の出力ポートモジュールに接続された伝送リンクを使用することによってＲＲＵ１に伝送され、通信信号１がＬＴＥネットワーク標準をサポートする場合、通信信号１は、第１のＲＨＵＢ２の第２の出力ポートモジュールに接続された伝送リンクを使用することによってＲＲＵ１に伝送され、且つ通信信号１がＵＭＴＳネットワーク標準とＬＴＥネットワーク標準の両方をサポートする場合、通信信号１は、第１のＲＨＵＢ２の第２の出力ポートモジュールに接続された伝送リンクの信号搬送能力、及び第１のＲＨＵＢ１の第２の出力ポートモジュールに接続された伝送リンクの信号搬送能力に従って、第１のＲＨＵＢ２の第２の出力ポートモジュールに接続された伝送リンク、及び第１のＲＨＵＢ１の第２の出力ポートモジュールに接続された伝送リンクに配信されて、ＲＲＵ１に伝送される。
【０１０２】
通信信号を配信する様態に関して、配信は、本発明の実施形態１において説明される様態により実行されることが可能であり、このことは、本明細書において特に限定されないことに留意されたい。
【０１０３】
同一のＲＲＵに接続された複数のＲＨＵＢは、同一のＢＢＵに接続されることに限定されず、異なるＢＢＵに接続されることも更に可能であり、このことは、本明細書において限定されないことに更に留意されたい。
【０１０４】
図８に示されるとおり、図８は、本発明のこの実施形態によって提供されるデジタル変換ユニットＤＣＵの概略構造図である。本発明のこの実施形態によって提供されるデジタル変換ユニットＤＣＵ３５は、第１のインタフェースモジュール３５１と、第２のインタフェースモジュール３５２と、第３のインタフェースモジュール３５３と、ＤＣＵ処理モジュール３５４とを含み、ここで、
第１のインタフェースモジュール３５１は、ＢＢＵ３１に接続するように構成され、
第２のインタフェースモジュール３５２は、第１のレベルにおけるＲＨＵＢ３３に接続するように構成され、
第３のインタフェースモジュール３５３は、第３のＲＲＵ３６に接続するように構成され、且つ
ＤＣＵ処理モジュール３５４は、ＢＢＵ３１が少なくとも２つのＢＢＵを含み、且つ第２のインタフェースモジュール３５２が、第１のＲＨＵＢ３３によって送信された無線周波数信号を受信する場合、無線周波数信号に対応するターゲットＢＢＵを決定し、無線周波数信号をデジタル信号に変換し、且つそのデジタル信号を、第１のインタフェースモジュール３５１を使用することによってターゲットＢＢＵに送信するように、且つ／又は第１のインタフェースモジュール３５１が、ＢＢＵ３１によって送信されたデジタル信号を受信し、且つ第３のインタフェースモジュール３５３が、第３のＲＲＵ３６によって送信された無線周波数信号を受信する場合、無線周波数信号をデジタル信号に変換し、且つ次に、ＢＢＵ３１によって送信されたデジタル信号とそのデジタル信号を同一の伝送リンク上で多重化して、ＢＢＵ３１によって送信されたデジタル信号とそのデジタル信号を第１のＲＨＵＢ３３に送信するように構成される。
【０１０５】
本発明のこの実施形態におけるＲＨＵＢ、ＢＢＵ、ＲＲＵ、及びＤＣＵを使用することによって、本明細書においてリストアップされない、複数の形式の屋内通信システムが構築されることが可能であることが分かり得る。しかし、本発明のこの実施形態において説明される構造又は機能を有するモジュールは、本発明の着想の範囲に入るものとする。
【０１０６】
本発明のこの実施形態によって提供される屋内通信システムによれば、第１に、屋内通信システムにおける異なるレベルにおけるＲＨＵＢに関してカスケーディング様態が使用され、その結果、屋内通信システムの信号カバレッジ容量を効果的に拡大し、且つ屋内通信システムの信頼性を向上させ、更に、屋内通信システムにおけるＲＨＵＢとＢＢＵとの間にＤＣＵが追加されて、屋内通信システムが、無線周波数リソースに対する集中管理を実施できるようにされ、且つ更に、異なるネットワークにおいて作り出されたＲＲＵとＢＢＵとの間のハイブリッドネットワーキングが、ＤＣＵを使用することによって実施され、その結果、屋内通信システムの信頼性が向上させられる。
【０１０７】
実施形態４
図９に示されるとおり、図９は、本発明の実施形態４による信号伝送方法の概略流れ図である。本発明の実施形態４は、本発明の実施形態１乃至本発明の実施形態３と同一の発明概念を有する発明である。この方法は、下記のとおり説明されることが可能である。
【０１０８】
ステップ９０１：第１のＲＨＵＢが、ＢＢＵによって送信された第１の通信信号を受信し、ここで、ＢＢＵは、第１のＲＨＵＢに有線様態で接続される。
【０１０９】
第１の通信信号は、第１の通信信号の宛先アドレスを示すのに使用される識別情報を含むことが可能である。
【０１１０】
ステップ９０２：第１のＲＨＵＢが、受信された第１の通信信号に従って、第２の通信信号を第２のＲＨＵＢに送信し、ここで、第２のＲＨＵＢは、第１のＲＨＵＢに有線様態で接続される。
【０１１１】
第１の通信信号と第２の通信信号は、同一であってもよく、又は異なっていてもよく、このことは、本明細書において限定されない。特に、第２の通信信号は、第１の通信信号に対して単純な処理を実行することによって得られることが可能である。例えば、第２の通信信号における情報フレームは、第１の通信信号における情報フレーム内の情報要素を削除することによって得られることが可能である。
【０１１２】
ステップ９０３：第２のＲＨＵＢが、第１のＲＨＵＢによって送信された第２の通信信号を受信する。
【０１１３】
ステップ９０４：第２のＲＨＵＢが、受信された第２の通信信号に従って、第４の通信信号を、第２のＲＨＵＢに接続されたＲＲＵに送信する。
【０１１４】
第２の通信信号と第４の通信信号は、同一であってもよく、又は異なっていてもよく、このことは、本明細書において限定されない。任意に、ステップ９０２において、第１の通信信号が、第１の通信信号の宛先アドレスを示すのに使用される識別情報を含む場合、第１の通信信号の宛先アドレスが第２のＲＨＵＢであるかどうかが、識別情報に従って決定され、且つはいである場合、第２の通信信号が第２のＲＨＵＢに伝送される。
【０１１５】
本発明のこの実施形態によって提供される信号伝送方法によれば、第１のＲＨＵＢが、ベースバンドユニットＢＢＵによって送信された第１の通信信号を受信し、ここで、ＢＢＵは、第１のＲＨＵＢに有線様態で接続され、第１のＲＨＵＢは、受信された第１の通信信号に従って、第２の通信信号を第２のＲＨＵＢに送信し、ここで、第２のＲＨＵＢは、第１のＲＨＵＢに有線様態で接続され、且つ第２のＲＨＵＢは、第１のＲＨＵＢによって送信された第２の通信信号を受信し、且つ受信された第２の通信信号に従って、第４の通信信号を、第２のＲＨＵＢに接続されたＲＲＵに送信する。信号伝送方法は、異なるＲＨＵＢの間でカスケーディングを実施して、屋内通信システムの信号カバレッジ容量を効果的に拡大し、且つ屋内通信システムの信頼性を向上させる。
【０１１６】
この実施形態の実施シナリオにおいて、方法は、下記を更に含む。
【０１１７】
ステップ９０５：受信された第１の通信信号に従って、第３の通信信号をＲＲＵに送信し、ここで、ＲＲＵは、第１のＲＨＵＢに接続される。
【０１１８】
第１の通信信号と第３の通信信号は、同一であってもよく、又は異なっていてもよく、このことは、本明細書において限定されない。
【０１１９】
実施様態において、第１の通信信号は、通信信号の宛先アドレスを示すのに使用される識別情報を含み、且つステップ９０５は、識別情報に従って、第１の通信信号の宛先アドレスがＲＲＵであるかどうかを決定すること、及びはいである場合、第３の通信信号をＲＲＵに伝送することを含むことが可能であることに留意されたい。
【０１２０】
別の実施様態において、第１のＲＨＵＢとＲＲＵは、少なくとも２つの伝送リンクを使用することによって接続され、且つステップ９０５は、
第１の通信信号のネットワーク標準を決定すること、
第１の通信信号のネットワーク標準、及びネットワーク標準と少なくとも２つの伝送リンクとの間の事前設定された対応関係に従って、少なくとも２つの伝送リンクから、第３の通信信号を伝送するための伝送リンクを選択すること、及び
第３の通信信号を、選択された伝送リンクを使用することによってＲＲＵに伝送することを含むことが可能である。
【０１２１】
ネットワーク標準と少なくとも２つの伝送リンクとの間の事前設定された対応関係は、ＲＨＵＢにおいて事前設定されることが可能であり、又は受信された通信信号のネットワーク標準に従ってＲＨＵＢによって決定されることが可能である。例えば、ＲＨＵＢの出力ポートとネットワーク標準との間の対応関係が、ネットワーク標準と少なくとも２つの伝送リンクとの間の対応関係を表すのに使用されることが可能であり、ここで、その２つの対応関係は、均等であることが可能である。ＲＨＵＢの出力ポートとネットワーク標準との間の対応関係に関して、図１に示される実施形態が参照されることが可能であり、詳細が本明細書において再び説明されることはない。
【０１２２】
選択された伝送リンクを使用することによって第３の通信信号をＲＲＵに伝送することは、
第３の通信信号を伝送するための選択された伝送リンクの数が２以上である場合、選択された伝送リンクの信号搬送能力を決定すること、及び
選択された伝送リンクの信号搬送能力に従って、選択された伝送リンクにおける各伝送リンクに第３の通信信号を配信して、第３の通信信号をＲＲＵに伝送することを含むことが可能である。
【０１２３】
信号搬送能力が帯域幅能力を含む場合、選択された伝送リンクの信号搬送能力に従って、第３の通信信号を、選択された伝送リンクにおける各伝送リンクに配信して、第３の通信信号をＲＲＵに伝送することは、
伝送リンクの各伝送リンク上で伝送されるべき第３の通信信号の帯域幅が伝送リンクの各伝送リンクの帯域幅能力より大きくない場合、伝送リンクの各伝送リンク上で伝送されるべき第３の通信信号の帯域幅を伝送リンクの帯域幅能力に調整し、且つ伝送されるべき調整された第３の通信信号を、伝送リンクの各伝送リンク上でＲＲＵに伝送することを含む。
【０１２４】
任意に、前述の方法は、選択された伝送リンクにおける第２の伝送リンクに、選択された伝送リンクにおける第１の伝送リンク上で搬送される第３の通信信号を転送して、第３の通信信号をＲＲＵに伝送することを更に含む。
【０１２５】
選択された伝送リンクにおける第２の伝送リンクに、選択された伝送リンクにおける第１の伝送リンク上で搬送される第３の通信信号を転送して、第３の通信信号をＲＲＵに伝送することは、
第２の伝送リンクの帯域幅能力、並びに第１の伝送リンク上及び第２の伝送リンク上で伝送される第３の通信信号の現在の帯域幅に従って、第２の伝送リンクに、第１の伝送リンク上で搬送される第３の通信信号のすべて又は一部分を転送して、第３の通信信号をＲＲＵに伝送することを含むことが可能である。
【０１２６】
この実施形態の別の実施シナリオにおいて、方法は、
ＢＢＵによって送信された伝送リンク要求メッセージを受信することであって、ここで、伝送リンク要求メッセージは、第１のＲＨＵＢとＲＨＵＢ及び／又はＲＲＵとの間の接続についての情報を報告するよう第１のＲＨＵＢに要求するのに使用されること、及び
伝送リンク要求メッセージに従って、第１のＲＨＵＢと第２のＲＨＵＢとの間の第１の接続についての情報を決定し、且つ第１の接続についての決定された情報をＢＢＵに送信すること、及び／又は
第１のＲＨＵＢが少なくとも１つのＲＲＵに接続される場合、伝送リンク要求メッセージに従って、第１のＲＨＵＢと少なくとも１つのＲＲＵとの間の第２の接続についての情報を決定し、且つ第２の接続についての決定された情報をＢＢＵに送信することを更に含む。
【０１２７】
本発明のこの実施形態によって提供される信号伝送方法によれば、ＲＨＵＢとＲＲＵとの間で複数の伝送リンクが確立されるため、受信される通信信号は、各伝送リンクによってサポートされるネットワーク標準に従って異なる伝送リンクを使用することによってＲＲＵに伝送され、その結果、マルチ標準信号の伝送が実施され、更に、ＲＨＵＢとＲＲＵとの間で複数の伝送リンクが確立されるため、ＲＨＵＢとＲＲＵとの間の単一の伝送リンクにおいて生じた障害に起因する通信中断の問題が回避され、且つ更に、異なる伝送リンクの負荷条件に従ってＲＨＵＢとＲＲＵとの間の異なる伝送リンクの間で負荷分散が実施され、その結果、ＲＨＵＢとＲＲＵとの間の通信信号伝送の信頼性を効果的に保証することが可能である。
【０１２８】
実施形態５
図１０に示されるとおり、図１０は、本発明の実施形態５による遠隔無線ユニットハブＲＨＵＢの概略構造図である。本発明の実施形態５は、本発明の実施形態１、及び本発明の実施形態４と同一の発明概念を有する発明である。ＲＨＵＢは、入力ポートモジュール４１と、出力ポートモジュール４２と、処理モジュール４３とを含み、ここで、出力ポートモジュール４２は、少なくとも２つの出力ポートを含む。
【０１２９】
入力ポートモジュール４１は、ＢＢＵに有線様態で接続するように、且つＢＢＵによって送信された第１の通信信号を受信するように構成される。
【０１３０】
入力ポートモジュール４１は、ファイバを使用することによってＢＢＵに直接接続様態で接続されることが可能であり、このようにして、ＢＢＵとＲＨＵＢとの間で通信信号が伝送される場合、伝送リンクに関する要件が効果的に保証され、ここで、ファイバは、特にＣＰＲＩリンクであることが可能であることに留意されたい。
【０１３１】
出力ポートモジュール４２は、少なくとも２つの出力ポートに接続された伝送リンクを使用することによって同一の遠隔無線ユニットＲＲＵに接続するように構成される。
【０１３２】
処理モジュール４３は、入力ポートモジュール４１によって受信された第１の通信信号に従って、第２の通信信号を、出力ポートモジュール４２を使用することによってＲＲＵに送信するように構成される。
【０１３３】
処理モジュール４３は、
入力ポートモジュール４１によって受信された第１の通信信号のネットワーク標準を決定するように、
第１の通信信号のネットワーク標準、及びネットワーク標準と少なくとも２つの出力ポートとの間の事前設定された対応関係に従って、第２の通信信号を出力するための出力ポートを選択するように、且つ
第２の通信信号を、選択された出力ポートを使用することによってＲＲＵに伝送するように特に構成される。
【０１３４】
ネットワーク標準と少なくとも２つの出力ポートとの間の事前設定された対応関係の関連する説明に関して、図１に示される実施形態が参照されることが可能であり、詳細が本明細書において再び説明されることはない。
【０１３５】
任意に、処理モジュール４３は、
選択された出力ポートの数が２以上である場合、選択された出力ポートに接続された伝送リンクの信号搬送能力を決定するように、且つ
選択された出力ポートに接続された伝送リンクの信号搬送能力に従って、第２の通信信号を、選択された出力ポートに接続された伝送リンクにおける各伝送リンクに配信して、第２の通信信号をＲＲＵに伝送するように更に構成される。
【０１３６】
更に、信号搬送能力は、帯域幅能力を含むことが可能であり、且つ処理モジュール４３は、
第２の通信信号の帯域幅が、伝送リンクの各伝送リンクの帯域幅能力より大きくない場合、第２の通信信号の帯域幅を伝送リンクの各伝送リンクの帯域幅能力に調整するように、且つ調整された第２の通信信号を、伝送リンクの各伝送リンク上でＲＲＵに伝送するように特に構成される。
【０１３７】
更に任意に、処理モジュール４３は、
選択された第２の出力ポートに接続された伝送リンクにおける第２の伝送リンクに、選択された第２の出力ポートに接続された伝送リンクにおける第１の伝送リンク上で搬送される第２の通信信号を転送して、第２の通信信号をＲＲＵに伝送するように更に構成される。
【０１３８】
処理モジュール４３は、
第２の伝送リンクの帯域幅能力、並びに第１の伝送リンク上及び第２の伝送リンク上で伝送される第２の通信信号の現在の帯域幅に従って、第２の伝送リンクに、第１の伝送リンク上で搬送される第２の通信信号のすべて又は一部分を転送して、第２の通信信号をＲＲＵに伝送するように特に構成され得ることに留意されたい。本発明の実施形態５において説明される出力ポートの機能は、本発明の実施形態１において説明される第２の出力ポートの機能と同一であり、詳細が本明細書で再び説明されることはないことに留意されたい。
【０１３９】
本発明のこの実施形態によって提供されるＲＨＵＢによれば、ＲＨＵＢは、入力ポートモジュールと、出力ポートモジュールと、処理モジュールとを含み、ここで、出力ポートモジュールは、少なくとも２つの出力ポートを含み、入力ポートモジュールは、ＢＢＵに有線様態で接続するように、且つＢＢＵによって送信された第１の通信信号を受信するように構成され、出力ポートモジュールは、少なくとも２つの出力ポートに接続された伝送リンクを使用することによって同一の遠隔無線ユニットＲＲＵに接続するように構成され、且つ処理モジュールは、入力ポートモジュールによって受信された第１の通信信号に従って、第２の通信信号を、出力ポートモジュールを使用することによってＲＲＵに送信するように構成される。
【０１４０】
ＲＨＵＢとＲＲＵとの間で複数の伝送リンクが確立されるため、受信された通信信号は、各伝送リンクによってサポートされるネットワーク標準に従って異なる伝送リンクを使用することによってＲＲＵに伝送され、その結果、マルチ標準信号の伝送が実施され、更に、ＲＨＵＢとＲＲＵとの間で複数の伝送リンクが確立されるため、ＲＨＵＢとＲＲＵとの間の単一の伝送リンクにおいて生じた障害に起因する通信中断の問題が回避され、且つ更に、異なる伝送リンクの負荷条件に従ってＲＨＵＢとＲＲＵとの間の異なる伝送リンクの間で負荷分散が実施され、その結果、ＲＨＵＢとＲＲＵとの間の通信信号伝送の信頼性を効果的に保証することが可能である。
【０１４１】
実施形態６
図１１に示されるとおり、図１１は、本発明の実施形態６による信号伝送方法の概略流れ図である。本発明の実施形態６において説明される方法は、本発明の実施形態１乃至本発明の実施形態５と同一の発明概念を有する方法である。この方法は、下記のとおり説明されることが可能である。
【０１４２】
ステップ１１０１：第１のＲＨＵＢが、ベースバンドユニットＢＢＵによって送信された第１の通信信号を受信し、ここで、第１のＲＨＵＢは、少なくとも２つの伝送リンクを使用することによって同一の遠隔無線ユニットＲＲＵに接続される。
【０１４３】
ステップ１１０２：第１のＲＨＵＢが、受信された第１の通信信号に従って第２の通信信号をＲＲＵに送信する。
【０１４４】
その伝送リンクは、ＣＰＲＩリンクであることが可能である。
【０１４５】
ステップ１１０２は、
第１の通信信号のネットワーク標準を決定すること、
第１の通信信号のネットワーク標準、及びネットワーク標準と少なくとも２つの伝送リンクとの間の事前設定された対応関係に従って、少なくとも２つの伝送リンクから、第２の通信信号を伝送するための伝送リンクを選択すること、及び
第２の通信信号を、選択された伝送リンクを使用することによってＲＲＵに伝送することを含むことが可能である。
【０１４６】
特に、第２の通信信号を、選択された伝送リンクを使用することによってＲＲＵに伝送することは、
選択された伝送リンクの数が２以上である場合、選択された伝送リンクの信号搬送能力を決定すること、及び
選択された伝送リンクの信号搬送能力に従って、第２の通信信号を、選択された伝送リンクにおける各伝送リンクに配信して、第２の通信信号をＲＲＵに伝送することを含むことが可能である。
【０１４７】
信号伝送能力は、帯域幅能力を含み、且つ特に、選択された伝送リンクの信号搬送能力に従って、第２の通信信号を、選択された伝送リンクにおける各伝送リンクに配信して、第２の通信信号をＲＲＵに伝送することは、
第２の通信信号の帯域幅が、伝送リンクの各伝送リンクの帯域幅能力より大きくない場合、第２の通信信号の帯域幅を、伝送リンクの各伝送リンクの帯域幅能力に調整し、且つ第２の通信信号を、伝送リンクの各伝送リンク上でＲＲＵに伝送することを含むことが可能である。
【０１４８】
任意に、方法は、ステップ１１０３を更に含むことが可能である。
【０１４９】
ステップ１１０３：選択された伝送リンクにおける第２の伝送リンクに、選択された伝送リンクにおける第１の伝送リンク上で搬送される通信信号を転送して、通信信号をＲＲＵに伝送する。
【０１５０】
特に、選択された伝送リンクにおける第２の伝送リンクに、選択された伝送リンクにおける第１の伝送リンク上で搬送される通信信号を転送して、通信信号をＲＲＵに伝送することは、
伝送のために第２の伝送リンクに、第１の伝送リンク上で搬送される通信信号を転送する前に、第２の伝送リンクの帯域幅能力、並びに第１の伝送リンク上及び第２の伝送リンク上で伝送される通信信号の現在の帯域幅に従って、第２の伝送リンクに、第１の伝送リンク上で搬送される通信信号のすべて又は一部分を転送して、通信信号をＲＲＵに伝送することを含むことが可能である。
【０１５１】
本発明のこの実施形態によって提供される信号伝送方法によれば、ＲＨＵＢとＲＲＵとの間で複数の伝送リンクが確立されるため、受信される通信信号は、各伝送リンクによってサポートされるネットワーク標準に従って異なる伝送リンクを使用することによってＲＲＵに伝送され、その結果、マルチ標準信号の伝送が実施され、更に、ＲＨＵＢとＲＲＵとの間で複数の伝送リンクが確立されるため、ＲＨＵＢとＲＲＵとの間の単一の伝送リンクにおいて生じた障害に起因する通信中断の問題が回避され、且つ更に、異なる伝送リンクの負荷条件に従ってＲＨＵＢとＲＲＵとの間の異なる伝送リンクの間で負荷分散が実施され、その結果、ＲＨＵＢとＲＲＵとの間の通信信号伝送の信頼性を効果的に保証することが可能である。
【０１５２】
本発明の実施形態は、方法、装置（デバイス）、又はコンピュータプログラム製品として提供されることが可能であることが当業者には理解されよう。したがって、本発明は、完全なハードウェア実施形態、完全なソフトウェア実施形態、又はソフトウェアとハードウェアを組み合わせる実施形態の形式を使用することが可能である。更に、本発明は、コンピュータ可用プログラムコードを含む１つ又は複数のコンピュータ可用記憶媒体（ディスクメモリ、ＣＤ−ＲＯＭ、光メモリ、及び類似物を含むがこれらに限定されない）の上で実施されるコンピュータプログラム製品の形式を使用することが可能である。
【０１５３】
本発明は、本発明の実施形態による方法、装置（デバイス）、及びコンピュータプログラム製品の流れ図及び／又はブロック図を参照して説明される。コンピュータプログラム命令は、流れ図及び／又はブロック図における各プロセス及び／又は各ブロック、並びに流れ図及び／又はブロック図におけるプロセス及び／又はブロックの組合せを実施するのに使用されることが可能であることを理解されたい。これらのコンピュータプログラム命令は、汎用コンピュータ、専用コンピュータ、組込み型プロセッサ、又は別のプログラマブルデータ処理デバイスの処理モジュールに与えられてマシンを生成し、それにより、コンピュータ、又は別のプログラマブルデータ処理デバイスの処理モジュールによって実行されるそれらの命令は、流れ図における１つ又は複数のプロセス、及び／又はブロック図における１つ又は複数のブロックにおける特定の機能を実施するための装置を生成することが可能である。
【０１５４】
また、これらのコンピュータプログラム命令は、コンピュータ又は別のプログラマブルデータ処理デバイスに特定の様態で機能するように命令し、それにより、コンピュータ可読メモリに記憶された命令が命令装置を含む人工物を生成することができる、コンピュータ可読メモリに記憶されることも可能である。命令装置は、流れ図における１つ又は複数のプロセス、及び／又はブロック図における１つ又は複数のブロックにおける特定の機能を実施する。
【０１５５】
また、これらのコンピュータプログラム命令は、同様に、コンピュータ又は別のプログラマブルデータ処理デバイスにロードされ、それにより、コンピュータ上、又は別のプログラマブルデバイス上で一連の動作及びステップが実行され、その結果、コンピュータ実施処理を生成することが可能である。したがって、コンピュータ上、又は別のプログラマブルデータ処理デバイス上で実行される命令は、流れ図における１つ又は複数のプロセス、及び／又はブロック図における１つ又は複数のブロックにおける特定の機能を実施するためのステップを提供する。
【０１５６】
本発明の例示的な実施形態が説明されてきたものの、当業者は、当業者が基本的な発明概念を学んだ後、これらの実施形態に変更及び変形を行うことができる。したがって、添付の特許請求の範囲は、例示的な実施形態、並びに本発明の範囲に入るすべての変更及び変形をカバーするものと解釈されることが意図される。
【０１５７】
明らかに、当業者は、本発明の範囲を逸脱することなく、本発明に様々な変形及び変更を行うことができる。このようにして、本発明は、本発明に対するこれらの変形及び変更が、本発明の特許請求の範囲、及び特許請求の範囲と均等の技術の範囲に入るという条件付きで、これらの変形及び変更をカバーすることを意図している。
【図１】
0006401797.tif 000002
【図２】
0006401797.tif 000003
【図３】
0006401797.tif 000004
【図４】
0006401797.tif 000005
【図５】
0006401797.tif 000006
【図６】
0006401797.tif 000007
【図７】
0006401797.tif 000008
【図８】
0006401797.tif 000009
【図９】
0006401797.tif 000010
【図１０】
0006401797.tif 000011
【図１１】
0006401797.tif 000012